(57)【特許請求の範囲】
【請求項１】
発光素子ユニットを備える照明器具において、
前記発光素子ユニットを支持する不透光性の光源支持部と、前記発光素子ユニットの光を透過する透光性のグローブ部とを一体形成した筒状のグローブケースを備え、
前記光源支持部は、前記グローブケースの上部の略半周に相当し、
前記光源支持部の縁部で、前記発光素子ユニットが取り付けられた光源取付具が支持されており、
前記光源取付具は、
前記光源支持部の縁部から前記グローブケースの上部の側に凹んだ凹部を備え、当該凹部に前記発光素子ユニットが取り付けられ、前記グローブケースより長く形成されており、
前記グローブケースの両端には、
シール部材を介して閉塞カバーが嵌められており、
前記光源取付具は、
前記発光素子ユニットの取付面に垂直な方向から、前記閉塞カバーにねじ止め固定されている
ことを特徴とする照明器具。
【請求項２】
前記発光素子ユニットは線状光源であり、
前記グローブケースは、
筒状に形成されて少なくとも一端を開口部としたグローブ本体と、
前記開口部を閉塞する前記閉塞カバーと、
を備えることを特徴とする請求項１に記載の照明器具。
【請求項３】
前記グローブケースの光源支持部の縁部には、前記開口部から挿入された前記発光素子ユニットをスライド可能に支持する支持体が形成されていることを特徴とする請求項２に記載の照明器具。
【請求項４】
前記発光素子ユニットは複数の発光素子を備えることを特徴とする請求項１乃至３のいずれかに記載の照明器具。
【発明の詳細な説明】
【技術分野】
【０００１】
本発明は、防水構造を有する照明器具に関する。
【背景技術】
【０００２】
光源にＬＥＤ等の発光素子を用いた照明器具が様々な市場で採用されており、発光素子の放熱構造は各々の市場に合わせた設計となっている（例えば、特許文献１参照）。特に、屋外照明器具においては、発光素子の放熱を考慮し、発光素子を支持するケースを熱伝導性の高い金属で形成し、重量の軽い樹脂でグローブを形成する器具が増加している。
【先行技術文献】
【特許文献】
【０００３】
【特許文献１】特許第５６０２２８９号公報
【発明の概要】
【発明が解決しようとする課題】
【０００４】
しかしながら、屋外照明器具のように防水を要する環境に配置される照明器具においては、金属と樹脂の異種材料を組合せは、異種材料の間にシール部材を必要とし、部品点数の増加と防水性能低下のリスクとなる。
本発明は、上述した事情に鑑みてなされたものであり、防水性を確保しつつ、部品点数の削減が可能な照明器具を提供することを目的とする。
【課題を解決するための手段】
【０００５】
上述した目的を達成するために、本発明は、発光素子ユニットを備える照明器具において、前記発光素子ユニットを支持する不透光性の光源支持部と、前記発光素子ユニットの光を透過する透光性のグローブ部とを一体形成した筒状のグローブケースを備え、前記光源支持部は、前記グローブケースの上部の略半周に相当し、前記光源支持部の縁部で、前記発光素子ユニットが取り付けられた光源取付具が支持されており、前記光源取付具は、前記光源支持部の縁部から前記グローブケースの上部の側に凹んだ凹部を備え、当該凹部に前記発光素子ユニットが取り付けられ、前記グローブケースより長く形成されており、前記グローブケースの両端には、シール部材を介して閉塞カバーが嵌められており、前記光源取付具は、前記発光素子ユニットの取付面に垂直な方向から、前記閉塞カバーにねじ止め固定されていることを特徴とする。
【０００６】
上述の構成において、前記発光素子ユニットは線状光源であり、前記グローブケースは、筒状に形成されて少なくとも一端を開口部としたグローブ本体と、前記開口部を閉塞する前記閉塞カバーと、を備えてもよい。
上述の構成において、前記グローブケースの光源支持部の縁部には、前記開口部から挿入された前記発光素子ユニットをスライド可能に支持する支持体が形成されていてもよい。
上述の構成において、前記発光素子ユニットは複数の発光素子を備えてもよい。
【発明の効果】
【０００７】
本発明によれば、発光素子ユニットを支持する光源支持部と、発光素子ユニットの光を透過するグローブ部とを一体形成したグローブケースを備えたため、光源支持部とグローブ部との間にシール部材が不要となり、防水性を確保しつつ、部品点数を削減できる。
【図面の簡単な説明】
【０００８】
【図１】本発明の実施形態に係る照明器具を示す斜視図である。
【図２】照明器具を示す図であり、（Ａ）は平面図、（Ｂ）は正面図、（Ｃ）は底面図、（Ｄ）は側面図である。
【図３】照明器具を示す分解斜視図である。
【図４】図２のＩＶ−ＩＶ断面図である。
【図５】端部カバーを示す図であり、（Ａ）は側面図、（Ｂ）は正面図、（Ｃ）は底面図である。
【図６】光源ユニットの端部を示す図であり、（Ａ）は平面図、（Ｂ）は縦断面図である。
【図７】光源部を示す模式図である。
【図８】本発明の変形例に係る照明器具を示す図であり、（Ａ）は正面図、（Ｂ）は底面図、（Ｃ）は平面図、（Ｄ）は側面図である。
【図９】照明器具の角度調整を示す説明図である。
【発明を実施するための形態】
【０００９】
以下、図面を参照して本発明の実施形態について説明する。
図１は、本実施形態に係る照明器具を示す斜視図である。図２は、照明器具を示す図であり、図２（Ａ）は平面図、図２（Ｂ）は正面図、図２（Ｃ）は底面図、図２（Ｄ）は側面図である。図３は、照明器具を示す分解斜視図である。図４は、図２のＩＶ−ＩＶ断面図である。
照明器具１は、図１及び図２に示すように、器具本体３に光源ユニット５を取り付けた、いわゆるトラフ形照明器具であり、防水構造を備えて屋外等の防水を必要とする環境に設置可能に構成されている。
【００１０】
器具本体３は、図３に示すように、平面視略矩形状の箱型に形成され、長手に延在する一面が開放面とされている。この器具本体３は、開放面に対向する面が設置面（不図示）に直接、あるいは、吊具（不図示）を介して支持されることで設置される。なお、以下に述べる上下といった方向は、照明器具１を、開放面を下に向けて設置した状態でその前面側から見た場合の方向を示している。器具本体３は、例えば鋼板やステンレス等の金属で形成され、開放面に対向する面（上面）及び短手側面に電源線用穴３Ａが形成されている。
光源ユニット５は、図４に示すように、筒状のグローブケース１０に少なくとも１つ（本実施形態では２つ）の光源部２０を収容して構成されている。なお、図４では、照明器具１は、中心から半分を省略して図示されている。
【００１１】
グローブケース１０は、上面１０Ａを略平坦とした断面略半円状に形成され、この上面１０Ａには、金属製の電源装置取付板３１が取り付けられている。この電源装置取付板３１は、長手方向に延びる両縁部に係合部３１Ａを備え、この係合部３１Ａがグローブケース１０の上面１０Ａに形成された突出部１０Ｂに係合されることで、グローブケース１０の上面１０Ａにスライド可能に支持される。そして端部カバー１３に電源装置取付板３１の端部がネジ止めされることにより電源装置取付板３１はグローブケース１０に取り付けられる。本実施形態では、係合部３１Ａは、電源装置取付板３１の両縁部が内側に屈曲した屈曲部として形成され、突出部１０Ｂが屈曲した係合部３１Ａに沿うように外側に傾斜して延出するリブ状に形成されている。但し、係合部３１Ａ及び突出部１０Ｂの構成はこれに限定されるものではない。
【００１２】
電源装置取付板３１にはＶばね等の仮吊り具３２が少なくとも１つ（本実施形態では、２つ）設けられている。光源ユニット５は、図３に示すように、この仮吊り具３２を器具本体３に設けた仮吊り具受け金具３Ｂに引掛けることで仮吊りされ、器具本体３の両端に設けた固定部３Ｃにねじ止めされて固定される。
また、電源装置取付板３１には、光源部２０の点灯を制御する点灯回路及び電源を有する電源装置３３が固定されている。電源装置３３からの電源線３４Ａ及び光源ユニット５のアース線３４Ｂは、器具本体３の電源線用穴３Ａから電源ブッシング３５（図２参照）を介して引き出される。
【００１３】
グローブケース１０は、両端を開口部１１Ａとした長尺な筒状のグローブ本体（グローブ）１１と、一端を開放部１３Ａとし他端を端面１３Ｂとした有底筒状に形成され、グローブ本体１１の開口部１１Ａを閉塞する端部カバー（閉塞カバー）１３とを備えている。グローブ本体１１及び端部カバー１３は、樹脂材で形成されている。グローブケース１０は、端部カバー１３が、例えばシリコンゴムパッキン等半透明な環状のシール部材３６（図６参照）を介してグローブ本体１１に装着され、シール部材３６によってグローブ本体１１と端部カバー１３とが周方向にシールされることで、防水構造となっている。このように、グローブ本体１１を筒状に形成し、開口部１１Ａをグローブ本体１１の一端及び他端としたため、例えば、グローブ本体１１の支持部と後述するグローブ部１２Ｂとの間に開口部を形成する場合に比べ、開口部１１Ａを比較的小さく形成できるので、防水性を確実に確保できる。
【００１４】
光源部２０は、図４に示すように、基板２１Ａに光源たる発光素子２１Ｂを複数配列した発光素子ユニット（線状光源）２１を少なくとも１つ（本実施形態では２つ）備えている。複数（２つ）の発光素子ユニット２１はグローブケース１０の長手方向に沿って直列に配列される。発光素子２１Ｂには、例えばＬＥＤが用いられている。
【００１５】
ところで、従来、屋外用照明器具においては、放熱性を考慮し、熱伝導性が高い金属によって放熱部材として形成したケースに、重量が軽い樹脂で形成したグローブをパッキン等のシール材を介して取り付けて光源ユニット５を形成していた。しかしながら、ケースとグローブとの間にシール部材を介在させていたため、部品点数の増加と防水性能低下のリスクという問題があった。
【００１６】
そこで、本実施形態では、発光素子ユニット２１は、発光素子２１Ｂの発熱を抑えるため、最大定格電流値より十分小さい電流が供給されるようになっている。本実施形態では、基板２１Ａに配置した発光素子２１Ｂの最大定格順電流は１８０ｍＡ（日亜  NFSW7575DTを使用）のところ、照明器具１の仕様で定格電流値４５ｍＡ（最大定格電流値の２５％）に設定している。例えば、放熱フィン無しで使用するためには、本実施形態のように最大定格電流値の３５％以下に設定するのが良い。このように、発光素子ユニット２１に最大定格電流値より十分小さい電流を供給することで、発光素子ユニット２１を放熱部材に支持する必要がなくなり、発光素子ユニット２１を樹脂材に支持できる。その結果、発光素子ユニット２１を収めるケースを放熱部材とグローブとで構成する必要がなくなるので、当該ケースを、発光素子ユニット２１を支持する光源支持部１２Ａとグローブ部１２Ｂとを一体としたグローブケース１０とすることができる。
さらに、発光素子ユニット２１は複数の発光素子２１Ｂを備えるため、放熱を抑制するべく電流の出力を下げた分の明るさを補うことができる。
【００１７】
グローブ本体１１は、光源部２０を支持する光源支持部１２Ａと、光源部２０の光を透過するグローブ部１２Ｂとを一体に備えている。光源支持部１２Ａはグローブ本体１１の上部の略半周に相当する部分に位置し、グローブ部１２Ｂはグローブ本体１１の下部の略半周に相当する部分に位置している。グローブ本体１１は、光源支持部１２Ａに遮光性の樹脂材を用い、グローブ部１２Ｂに透光性の樹脂材を用いて二色成形されている。グローブ本体１１は両端の開口部１１Ａ以外は気密になっている。
このように、グローブ本体１１は、光源支持部１２Ａと、グローブ部１２Ｂとを一体形成して構成されるため、光源支持部１２Ａとグローブ部１２Ｂとの間にシール部材が不要となり、防水性を確保しつつ、部品点数を削減できる。また、二色成形により、光源支持部１２Ａ及びグローブ部１２Ｂを容易に水密に一体形成できる。光源支持部１２Ａを不透光性にしたため、不透光性の光源支持部１２Ａにより、発光素子ユニット２１からの設計照射範囲以外の光を遮蔽できる。
【００１８】
図５は、端部カバー１３を示す図であり、図５（Ａ）は側面図、図５（Ｂ）は正面図、図５（Ｃ）は底面図である。図６は、光源ユニット５の端部を示す図であり、図６（Ａ）は平面図、図６（Ｂ）は縦断面図である。
端部カバー１３は、グローブ本体１１の両端で光源部２０（図４）を覆うカバーであり、図５に示すように、グローブ本体１１と同様に、光源部２０を収容する光源収容部１４Ａと、光源部２０の光を透過する透光部（グローブ部）１４Ｂを一体に備えている。光源収容部１４Ａは端部カバー１３の上部の半周部分に位置し、透光部１４Ｂは端部カバー１３の下部の半周部分に位置している。このように、端部カバー１３に透光部１４Ｂを設けることで、グローブケース１０の両端から光を出射できるので、端部同士をつなげて配置した場合にも継ぎ目のない照明を実現できる。
【００１９】
ここで、端部カバー１３の全体を透光部とした場合には、グローブ本体１１の周囲に配置されるシール部材３６が外部から視認されることとなり、照明器具１の意匠性が低下する。シール部材３６に透明材料を用いたとしても、透光部１４Ｂとの間には光透過率の差異が生じてしまう。また、端部カバー１３の装着時にシール部材３６の位置が寄ったり、皺が寄ったりする場合もあり、この場合には、光の出射範囲も変わることとなり、これによっても、照明器具１の美観が損なわれるおそれがある。
【００２０】
そこで、本実施形態では、端部カバー１３は、図５及び図６に示すように、シール部材３６が配置される箇所に遮光部１４Ｃを一体に備えている。遮光部１４Ｃは透光部１４Ｂの周方向に沿って帯状に形成され、端面１３Ｂを含む端部カバー１３の端部は透光部１４Ｂとなっている。この遮光部１４Ｃによってシール部材３６を隠すことができるとともに、発光部を透光部１４Ｂに限定して遮光範囲を一定の遮光部１４Ｃに制限できるので、照明器具１の意匠性を向上できる。また、グローブケース１０の端部から光を出射させることで、グローブケース１０の長手方向遠方から照明器具１が点灯していることが分かるようになる。
【００２１】
端部カバー１３は、光源収容部１４Ａ及び遮光部１４Ｃに透光性の樹脂材を用い、透光部１４Ｂに遮光性の樹脂材を用いて二色成形され、開放部１３Ａ以外は気密になっている。このように、二色成形により、光源収容部１４Ａ、透光部１４Ｂ及び遮光部１４Ｃを容易に一体に形成でき、光源収容部１４Ａと透光部１４Ｂと遮光部１４Ｃとの間にシール部材が不要となり、防水性を確保しつつ、部品点数を削減できる。
【００２２】
次いで、光源部２０及び光源ユニット５の固定構造について詳細に説明する。
図７は、光源部２０を示す模式図である。
光源部２０は、図７に示すように、発光素子ユニット２１をグローブケース１０に取り付ける、例えば金属製の光源取付具２３を備えている。グローブ本体１１の内面には、光源取付具２３を支持する支持体１５が形成され、この支持体１５は、グローブ本体１１の長手方向に延びる一対の段状のレールであり、グローブ本体１１の短手方向に対向して設けられている。この支持体１５に光源取付具２３が載置されて支持される。発光素子ユニット２１は、グローブ本体１１の開口部１１Ａから光源取付具２３が支持体１５上をスライドするように挿入される。このように、支持体１５を、発光素子ユニット２１をスライド可能に支持するように構成したため、発光素子ユニット２１の支持及び位置合わせを容易にすることができる。
【００２３】
支持体１５の上方には、光源取付具２３をガイドするガイド部１７が、支持体１５と略平行に設けられている。これらの支持体１５及びガイド部１７は、光源支持部１２Ａの縁部にグローブ本体１１と一体に形成されている。これにより、支持体１５及びガイド部１７をグローブ本体１１と別体に形成する場合に比べ、支持体１５及びガイド部１７を容易に形成できる。
また、光源取付具２３は、中央を縁部から背面側（出射側と反対側）に凹ませた凹部２３Ａを備え、当該凹部２３Ａに発光素子ユニット２１が取り付けられている。これにより、光源取付具２３を平板状に形成した場合に比べ、不透光性の光源支持部１２Ａにより、発光素子ユニット２１からの設計照射範囲以外の光を遮蔽できる。
【００２４】
光源取付具２３は、図６に示すように、グローブ本体１１より長く形成され、光源取付具２３がグローブ本体１１に挿入されると、光源取付具２３の長手方向の両端部２３Ｂがグローブ本体１１の開口部１１Ａの外側に位置する。光源取付具２３の両端部２３Ｂには筒状のスペーサ２４がねじ止めされ、端部カバー１３を、シール部材３６を介してグローブ本体１１の両端に嵌めると、スペーサ２４のねじ穴２４Ａと端部カバー１３の取付穴１３Ｃとの位置が一致する。光源取付具２３は、ねじ２５を取付穴１３Ｃに挿入してねじ穴２４Ａに螺合することで、端部カバー１３にねじ止め固定される。
【００２５】
端部カバー１３の開放部１３Ａ側には、電源装置取付板３１を固定する固定穴１３Ｄが形成されており、電源装置取付板３１は、ねじ穴３１Ｂを端部カバー１３の固定穴１３Ｄと位置を合わせてねじ止め固定される。
端部カバー１３の端面１３Ｂ側には、光源ユニット５を器具本体３に固定するための固定孔１９が形成されており、光源ユニット５はこの固定孔１９を介して器具本体３の固定部３Ｃ（図３）にねじ止め固定される。
【００２６】
以上説明したように、本実施形態によれば、発光素子ユニット２１を支持する光源支持部１２Ａと、発光素子ユニット２１の光を透過するグローブ部１２Ｂとを一体形成したグローブケース１０を備える構成とした。この構成により、光源支持部１２Ａとグローブ部１２Ｂとの間にシール部材が不要となり、防水性を確保しつつ、部品点数を削減できる。
【００２７】
また、本実施形態によれば、グローブケース１０は、不透光性の光源支持部１２Ａと、透光性のグローブ部１２Ｂとが一体形成されて構成されているため、不透光性の光源支持部１２Ａにより、発光素子ユニット２１からの設計照射範囲以外の光を遮蔽できる。
【００２８】
また、本実施形態によれば、発光素子ユニット２１は線状光源であり、グローブケース１０は、筒状に形成されて少なくとも一端を開口部１１Ａとしたグローブ本体１１と、開口部を閉塞する端部カバー１３と、を備える構成とした。この構成により、例えば、グローブ本体１１の支持部とグローブ部１２Ｂとの間に開口部を形成する場合に比べ、開口部１１Ａを比較的小さく形成できるので、防水性を確実に確保できる。
【００２９】
また、本実施形態によれば、グローブケース１０の内面には、開口部１１Ａから挿入された発光素子ユニット２１をスライド可能に支持する支持体１５が形成されている構成とした。この構成により、発光素子ユニット２１の支持及び位置合わせを容易にすることができる。
【００３０】
また、本実施形態によれば、発光素子ユニット２１は複数の発光素子２１Ｂを備えるため、放熱を抑制するべく発光素子２１Ｂを最大定格電流値より十分小さい電流で点灯させても、電流の出力を下げた分の明るさを補うことができる。
【００３１】
但し、上述の実施形態は本発明の一態様であり、本発明の趣旨を逸脱しない範囲において適宜変更可能であるのは勿論である。
例えば、上述の実施形態では、照明器具１は、器具本体３に光源ユニット５を取り付けた、いわゆるトラフ形照明器具として説明したが、角度可変機能を有する、いわゆるブラケット形照明器具であってもよい。
【００３２】
図８は、変形例に係る照明器具を示す図であり、図８（Ａ）は正面図、図８（Ｂ）は底面図、図８（Ｃ）は平面図、図８（Ｄ）は側面図である。図９は、照明器具の角度調整を示す説明図である。
この種の照明器具は、看板やビルの壁面などを照明する照明器具として主に使用される。変形例に係る照明器具１００は、器具本体１０３に光源ユニット５を取り付けて構成されている。器具本体１０３は、図８に示すように、下方の一面を開放した長手の樋状に形成され、器具本体１０３の長手方向に延びる取付板１０６を介して設置面（不図示）に取り付けられる。器具本体１０３は取付板１０６の両端で回転可能に支持され、取付板１０６の一端には可動調節用ナット１０７が設けられている。この可動調節用ナット１０７を緩めることで、図９に示すように、器具本体１０３の向きが調節可能になる。本実施形態では、取付板１０６側の手前に３０°、取付板１０６と反対側の奥側に１０５°移動可能に構成されているが、可動範囲はこれに限定されるものではない。なお、図８及び図９に示す照明器具１００においては、照明器具１と同一部分には同一の符号を付して説明を省略する。
【００３３】
また、上述の実施形態では、端部カバー１３の遮光部１４Ｃを遮光性の樹脂素材を用いて形成していた。しなしながら、端部カバー１３は、遮光部１４Ｃに相当する箇所の表面を透光性の樹脂材の表面を遮光性の塗料で着色し、透光部１４Ｂに相当する非着色の箇所から光を照射する構成としてもよい。
同様に、上述の実施形態では、グローブ本体１１は、光源支持部１２Ａに遮光性の樹脂材を用い、グローブ部１２Ｂに透光性の樹脂材を用いて二色成形されていたが、グローブ本体１１の構成はこれに限定されるものではない。例えば、グローブ本体１１は、光源支持部１２Ａに相当する箇所の表面を透光性の樹脂材の表面を遮光性の塗料で着色し、グローブ部１２Ｂに相当する非着色の箇所から光を照射する構成としてもよい。
【００３４】
また、上述の実施形態では、シール部材３６にパッキンを用いていたが、シール部材３６はこれに限定されるものではなく、例えばコーキング等であってもよい。
また、上述の実施形態では、端部カバー１３はシール部材３６を覆う遮光部１４Ｃを備えていたが、端部カバー１３は全体が透光性部材で構成されてもよい。この場合、シール部材に透光性の高い部材を用いることが望ましい。
【００３５】
また、上述の実施形態では、グローブ本体１１の両端を開口部１１Ａとしたが、一端のみを開口部１１Ａとしてもよい。
また、上述の実施形態では、グローブ本体１１及び端部カバー１３を二色成形により形成したが、グローブ本体１１及び端部カバー１３の製造方法は、それぞれ水密に製造できる方法であれば、二色成形に限定されるものではない。
【００３６】
また、上述の実施形態では、発光素子ユニット２１は、基板２１Ａに発光素子２１Ｂを複数配列した線状光源として構成したが、発光素子ユニット２１の形状はこれに限定されるものではなく、また、発光素子２１Ｂは１つであってもよい。この場合、グローブケース１０も長手の筒状に限定されるものではなく、発光素子ユニット２１の形状等に合わせて適宜変更可能である。
【００３７】
また、上述の実施形態では、発光素子２１Ｂに定格電流よりも小さい電流を供給していたが、発光素子２１Ｂの発熱が小さい場合には、発光素子２１Ｂに定格電流を供給してもよい。
また、上述の実施形態では、光源にＬＥＤを用いていたが、光源は、これに限定されるものではなく、例えば、有機ＥＬ等の他の発光素子であってもよい。
【符号の説明】
【００３８】
１  照明器具
１０  グローブケース
１１Ａ  開口部
１２Ａ  光源支持部
１２Ｂ  グローブ部
１３  端部カバー（閉塞カバー）
１５  支持体
２１  発光素子ユニット
２１Ｂ  発光素子
３６  シール部材
【図１】
0006800578.tif 000002
【図２】
0006800578.tif 000003
【図３】
0006800578.tif 000004
【図４】
0006800578.tif 000005
【図５】
0006800578.tif 000006
【図６】
0006800578.tif 000007
【図７】
0006800578.tif 000008
【図８】
0006800578.tif 000009
【図９】
0006800578.tif 000010